(57)【要約】【課題】認証時に所定の位置に指を確実に載置していると感じさせ得、以って使い勝手をよくした指静脈静脈パターン入力装置を提供する。【解決手段】本体と、本体に設置された指置台と、本体の内部に設置され、前記指置台に置かれた指を光照射する照射手段と、本体に組み込まれ、前記指置台に形成された撮像窓を介して光照射された指を撮像する撮像手段と、を有して構成される個人認証装置の指静脈パターン入力装置である。前記指置台には、該指置台に穿孔され配置され、前記照射手段からの光が通過する照射窓が設けられ、前記撮像窓および前記照射窓に近接して、周囲のシボの粗い表面に区別して手触りの滑らかな表面を持つ手触り感触部が設けてある。【選択図】図１
2007089941.tif 000002
【特許請求の範囲】
【請求項１】
本体と、本体に設置された指置台と、本体の内部に設置され、前記指置台に置かれた指を光照射する照射手段と、本体に組み込まれ、前記指置台に形成された撮像窓を介して光照射された指を撮像する撮像手段と、を有して構成される個人認証装置の指静脈パターン入力装置において、前記指置台には、該指置台に設けられた穿孔に配置され、前記照射手段からの光が通過する照射窓が設けられ、前記撮像窓および前記照射窓に近接して、周囲のシボの粗い表面に区別して手触りの滑らかな表面を持つ手触り感触部が設けてあること
を特徴とする指静脈パターン入力装置。
【請求項２】
請求項１において、前記手触り感触部は、前記撮像窓の両側に設けられていることを特徴とする指静脈パターン入力装置。
【請求項３】
請求項１において、前記手触り感触部は、前記撮像窓と前記照射窓との間に配設されることを特徴とする指静脈パターン入力装置。
【請求項４】
請求項３において、前記手触り感触部は、前記撮像窓の両側に設けられており、前記撮像窓を中心として片側に手触り感触部、照射窓が配列され、他側に手触り感触部、照射窓がこの順序で配列され、片側の手触り感触部に照射窓および他側の手触り感触部、照射窓は一直線に並んで配置されることを特徴とする指静脈パターン入力装置。
【請求項５】
請求項４において、前記一直線に対して直角方向に配置され、前記撮像窓の両側の一直線上に感触、あるいは目視認識できる指前後方向ズレ押さえを配設していることを特徴とする指静脈パターン入力装置。
【請求項６】
本体と、本体に設置された指置台と、本体の内部に設置され、前記指置台に置かれた指を光照射する照射手段と、本体に組み込まれ、前記指置台に形成された撮像窓を介して光照射された指を撮像する撮像手段と、を有して構成される個人認証装置の指静脈パターン入力装置において、前記指置台には、該指置台に設けられた穿孔に配置され、前記照射手段からの光が通過する照射窓が設けられ、前記撮像窓および前記照射窓に近接して、周囲の表面に区別して手触りの異なる表面を持つ手触り感触部が設けてあること
を特徴とする指静脈パターン入力装置。
【発明の詳細な説明】
【技術分野】
【０００１】
本発明は、指静脈のパターンデータを利用して個人認証に用いる指静脈パターン入力装置に関する。
【背景技術】
【０００２】
特許文献１には、１本の指の指紋を下面に向けて挿入できる挿入部を設けたケースと、前記指に対してその上面から透過光を照射する光源部と、任意波長に対して光透過性を有する干渉フィルタ部と、該干渉フィルタ部を透過した透過光を撮像する撮像部と、該撮像部から出力される前記指の静脈画像データの画像処理部とを有する個人認証装置が記載されている。
【０００３】
特許文献２には、光源にチップタイプの近赤外発光ダイオードを用いて手の平側の静脈パターンを利用して個人認証する認証装置が記載されている。
【０００４】
特許文献３には、指の位置を設定する指置きガイドと、前記指に透過光を照射する光源部と、透過した前記透過光を撮像する撮像部と、該撮像部で撮影された画像の認証処理を行う認証部とを有し、前記指置きガイドは認証対象の指が設定される認証対象指置きガイド部と、認証対象外の指が設定される認証対象外指置きガイド部とを備えた指認証装置に記載されている。
【０００５】
そして、前記認証対象指置きガイド部は、前記認証対象の指が設定され認証が行われる光学開口部に対応する部分が開口しており、前記認証対象指の付け根部分がその外形に沿った凹部形状を有していることが記載されている。
【０００６】
【特許文献１】特開２００４−４９７０５号公報
【特許文献２】特開２００２−９２６１６号公報
【特許文献３】特開２００５−１２８９３６号公報
【発明の開示】
【発明が解決しようとする課題】
【０００７】
財産や情報の安全な管理を目的として、個人認証技術への期待が高まっている。特に、人間の体の一部を鍵として利用する生体認証技術は、従来の暗証番号や鍵による管理に比べ、遺失や盗難等による不正行使の恐れが少ないことから注目を集めている。指の血管パターンを用いた認証方法は、指紋のように犯罪を連想させたり、蚊彩のように直接眼球に光を照射したりすることがないので心理的抵抗感がなく、また、生体の表面ではなく内部の特徴を読み取るため、偽造が困難という利点がある。
【０００８】
この利便性のために大人から子供、成人から老年者まで幅広く個人認証のために用いられるようになって来ている。このように、多くの人間について使用される指静脈パターン入力装置は認証時に所定の位置に指を確実に載置していると認証を行っている人間に感じさせ、安心感を持たせることが大切になる。
【０００９】
本発明はかかる点に鑑みて、認証時に所定の位置に指を確実に載置していると感じさせ得、以って使い勝手をよくした指静脈パターン入力装置を提供することを目的とする。
【課題を解決するための手段】
【００１０】
本発明は、本体と、本体に設置された指置台と、本体の内部に設置され、前記指置台に置かれた指を光照射する照射手段と、本体に組み込まれ、前記指置台に形成された撮像窓を介して光照射された指を撮像する撮像手段と、を有して構成される個人認証装置の指静脈パターン入力装置において、前記指置台には、該指置台に設けられた穿孔に配置され、前記照射手段からの光が通過する照射窓が設けられ、前記撮像窓および前記照射窓に近接して、周囲のシボの粗い表面に区別して手触りの滑らかな表面を持つ手触り感触部が設けてある指静脈パターン入力装置を提供する。
【００１１】
本発明は、本体と、本体に設置された指置台と、本体の内部に設置され、前記指置台に置かれた指を光照射する照射手段と、本体に組み込まれ、前記指置台に形成された撮像窓を介して光照射された指を撮像する撮像手段と、を有して構成される個人認証装置の指静脈パターン入力装置において、前記指置台には、該指置台に設けられた穿孔に配置され、前記照射手段からの光が通過する照射窓が設けられ、前記撮像窓および前記照射窓に近接して、周囲の表面に区別して手触りの異なる表面を持つ手触り感触部が設けてある指静脈パターン入力装置を提供する。
【発明の効果】
【００１２】
本発明は、上述のように撮像窓および照射窓に近接して周囲のシボの粗い表面に区別して手触りの滑らかな表面を持つ手触り感触部を設けているので、認証するために、撮像窓をまたいで指を指置台に載置した時に、所定の位置に指を確実に載置していると感じさせ得、以って使い勝手のよい指静脈パターン入力装置が提供されることになる。
【発明を実施するための最良の形態】
【００１３】
本発明の実施例である指静脈パターン入力装置は、上述の構成に、更に手触り感触部を撮像窓の両側に設けたことを特徴としている。そして、この手触り感触部を撮像窓と照射窓との間に配設したことを他の特徴としている。更に、この手触り感触部を撮像窓の両側に設け、撮像窓を中心として片側に手触り感触部、照射窓を配列し、他側に手触り感触部、照射窓をこの順序で配列し、片側の手触り感触部に照射窓および他側の手触り感触部、照射窓を一直線に並んで配置することを特徴としている。
【００１４】
以下、本発明の実施例を図面に基づいて説明する。
【実施例１】
【００１５】
図１は、本発明の実施例である指静脈パターン入力装置１００の外観を示す図であり、図２はその平面図であり、図３は図２の中央部における断面図である。
【００１６】
まず、図３を用いて指静脈パターン入力装置１００の構成について説明する。
【００１７】
本体１０には指置台１１を組み込んで一体化してある。また、本体１０の内部にはカメラ基板９に載置され、画像処理を行うＣＰＵを内蔵した制御モジュール部（制御モジュール手段）１と撮像部（撮像手段）２が設けられる。制御モジュール部１は周知のように、撮像部２で取得した画像から指静脈パターンを抽出する指静脈パターン抽出手段と、抽出された指静脈パターンを予め登録された指静脈パターンとを比較し、すなわち照合する画像演算手段を有する。
【００１８】
撮像部２は、本体１０の上部（図では垂直方向左辺部）に形成された空間部１２内に配置された照射手段としての近赤外発光ＬＥＤ１３（１３Ａ，１３Ｂ）および指検出手段（図示せず）を備える。
【００１９】
指置台１１には指置台１１に設けた穿口部１５（１５Ａ，１５Ｂ）近赤外発光ＬＥＤ１３に対向する形で照射窓１６（１６Ａ，１６Ｂ）が設けてある。近赤外発光ＬＥＤ１３は空間部１２内に配置され、照射窓１６以外には光は洩れることがない。本体１０の内部の中央部にはカメラレンズ３とＣＣＤを備えたカメラモジュール４およびミラーで構成される光軸屈折部５を備える。この光軸屈折部５はミラーが傾斜してあり、装置全体の厚さを小さくして撮像の光路長さを稼ぎ、画像歪を少なくしている。指置台１１の中央部には大きく撮像開口部６が形成され、この撮像開口部６には撮像窓７が設けてある。撮像窓７は中部が見えないスモーク状材料が使用される。この材料は赤外線を透過する。撮像開口部６は、外方に向けて丸みＲをつけた深みのある形状とされ撮像時に指が撮像窓７に接触しないようにしている。このような丸みＲをつけることによって静脈を圧迫してつぶさないようにすることができ、また撮像開口部周辺に位置する静脈の映りを良くすることができる。撮像窓７はこの撮像開口部６に設けた図のようにして溝８に垂直に設置される。
【００２０】
カメラレンズ３を介して投光された光は光軸屈折部５のミラーによって曲折され、撮像窓７および開口部６を通って矢印で示すように外方へと照射される。
【００２１】
近赤外発光ＬＥＤ１３および状態表示ＬＥＤ１７は図４に示すようにして空間部１２内に配置される。図４（ａ）は側面図、図４（ｂ）は平面図である。図４において、複数の近接赤外発光ＬＥＤ１３と１個の状態表示ＬＥＤ１７が基板１８上に配置される。各部品は制御部１９に接続される。本例の場合、状態表示ＬＥＤは点灯した時には緑色を呈する。
【００２２】
状態表示ＬＥＤの点灯は次の通りである。
2007089941.tif 000003
【００２３】
図２は、指置台１１の上面部を示す。指置台１１の上面部の中央部には上述したように撮像開口部６が設けられ、撮像開口部６には撮像窓７が設けてある。
【００２４】
撮像窓７の周囲部は平面状とされた４面からなる。指置台１１は図において縦方向の長さが横方向の長さに比べて若干長くしてあるが、撮像窓７は横方向の長さが縦方向の長さに比べて長くしてある。このような形状によって指を表面に載置し易く、かつ撮像画を確実に取得できるようにしてある。
【００２５】
指が載置されることになる２つの並行な平面２１，２２には、上述した照射窓１６Ａ，１６Ｂが撮像窓７から離れて設けてある。この照射窓１６Ａ，１６Ｂと撮像窓７との間、すなわち照射窓１６Ａ，１６Ｂおよび撮像窓７にそれぞれ近接して手触り感触部２５（２５Ａ，２５Ｂ）が設けてある。感触部２５Ｂの面積は感触部２５Ａの面積に比べて大きくしてある。これは指の先端か根元部かによって面積に差を設けている。照射窓１６Ａ，１６Ｂおよび手触り感触部２５Ａ，２５Ｂはいずれも横長の矩形状をなしている。横幅は、８ｍｍあれば充分に照射可能であると共に、指を載置することができる。
【００２６】
このように、手触り感触部２５Ａ，２５Ｂは、前記撮像窓の両側に設けられており、撮像窓７を中心として片側に手触り感触部２５Ａ、照射窓１６Ａが配設され、他側に手触り感触部２５Ｂ、照射窓１６Ｂがこの順序で配列され、片側の手触り感触部２５Ａに照射窓１６Ａおよび他側の手触り感触部２５Ｂ、照射窓１６Ｂは一直線Yに並んで配置される。
【００２７】
手触り感触部２５（２５Ａ，２５Ｂ）は、周囲の平面２１，２２の手触りがツルツルとした感触としてある。すなわち、周囲の平面２１，２２の凹凸を表わすシボは粗くしてあり、手触り感触部２５のシボは細いものとしている。手触り感触部２５はまったく平面とすることができる。このようにして、周囲のシボの粗い表面に区別して手触りの滑らかな表面を持つ手触り感触部２５が形成される。
【００２８】
感触を逆にした構成とすることができる。すなわち、周囲のシボの細いか、まったくない表面に区別してシボの粗い表面を持つ手触り感触部２５としてもよい。
【００２９】
以上のように、周囲の表面に区別して手触りの異なる表面を持つ手触り感触部２５が設けられる。手触り感触部２５は平面２１，２２に直接的に形成することができ、また上述した性質をもつプラスチック板（異質材料）を貼り付けるようにしてもよい。また平面２１，２２の面から削り取るようにしてもよい。平面２１，２２は撮像窓７の側方に離間して状態表示窓２６（２６Ａ，２６Ｂ）が状態表示ＬＥＤ１７に対応した形で設けてある。
【００３０】
側方の他の平面２３，２４には前述した一直線Yに対して直角方向となる一直線X上に、指の前後ズレ押え２７（２７Ａ，２７Ｂ）が設けてあり、その表面は手触り感触部２５の表面と同一に形成してある。
【００３１】
図５は、撮像窓７を中心として一直線に並置した手触り感触部２５Ａ，照射窓１６Ａおよび手触り感触部２５Ｂ，照射窓１６Ｂを用いて指３１の左右のズレの押えを行うことを示す図である。指３１が手触り感触部２５Ａ、２５Ｂから離れようとすると指３１は、手触りの異なる周囲の平面２１，２２に接触し、異質の感触を感じ取ることになる。これによって指３１を中央部に載置することになって指の左右ズレが防止される。指の前後ズレ押え２７Ａ，２７Ｂは指３１の載置の際に前後ズレを感触あるいは目視認識させ、前後方向において適切な位置に指を載置させる作用をなす。たとえば、指の前後ズレ押え２７Ａ，２７Ｂを目印として指の第一関節に合わせることにより、前後方向において適切な位置に指を載置させることができる。
【図面の簡単な説明】
【００３２】
【図１】本発明の実施例である指静脈パターン入力装置の外観図。
【図２】図１の平面図。
【図３】図１の断面図。
【図４】近赤外発光ＬＥＤおよび状態表示ＬＥＤの集合体を示す図。
【図５】指を載置した場合に、指位置を制御していることを示すイメージ図。
【符号の説明】
【００３３】
１…制御モジュール部（制御モジュール手段）、２…撮像部（撮像手段）、３…カメラレンズ、４…カメラモジュール、５…光軸屈折部、６…撮像開口部、７…撮像窓、９…カメラ基板、１０…本体、１１…指置台、１２…空間部、１３（１３Ａ，１３Ｂ）…近赤外発光ＬＥＤ、１５（１５Ａ，１５Ｂ）…穿口部、１６（１６Ａ，１６Ｂ）…照射窓、１７…状態表示ＬＥＤ、１８…基板、１９…制御部、２１，２２，２３，２４…平面、２５（２５Ａ，２５Ｂ）…手触り感触部、２６（２６Ａ，２６Ｂ）…状態表示窓、２７（２７Ａ，２７Ｂ）…指の前後ズレ押え、１００…指静脈パターン入力装置。
【図１】
2007089941.tif 000004
【図２】
2007089941.tif 000005
【図３】
2007089941.tif 000006
【図４】
2007089941.tif 000007
【図５】
2007089941.tif 000008